(57)【特許請求の範囲】
【請求項１】
所定条件の成立を契機として当否判定を行う当否判定手段を備え、当該当否判定手段による当否判定によって当たりに当選することで遊技者に利益が付与される遊技機であって、
遊技者に対して提供される演出を実行するにあたり、複数種のモードのいずれかが設定されている場合には、当該設定されているモードに応じた演出を実行する演出実行手段を備え、
前記複数種のモードのそれぞれに対応づけられたものとして表示される複数の選択対象から、将来的に設定されるモードに対応する好みの選択対象を選択することを遊技者に促す選択演出が実行可能であり、
前記選択演出は、ある選択対象が選択可能な状態となったことを遊技者に示すために当該ある選択対象が他の選択対象に比して強調された強調状態とされるものであり、
前記選択演出において表示される前記複数の選択対象の少なくとも一つである特定選択対象には、当該特定選択対象に対応づけられたモードの概要を示す複数種の対応演出が対応づけられており、
前記選択演出において前記特定選択対象が前記強調状態とされたとき、それに対応づけられた複数種の対応演出のうちのいずれかが実行されることを特徴とする遊技機。
【発明の詳細な説明】
【技術分野】
【０００１】
本発明は、遊技機に関する。
【背景技術】
【０００２】
遊技者が複数の演出のうちから所望の演出を選択することができる選択演出を実行する遊技機が知られている。下記特許文献１には、複数の楽曲のうちから、遊技者が聴きたい楽曲を選択することができる選択演出を実行する遊技機が開示されている。
【先行技術文献】
【特許文献】
【０００３】
【特許文献１】特開２０１３−２２６２０７号公報
【発明の概要】
【発明が解決しようとする課題】
【０００４】
本発明が解決しようとする課題は、選択演出を実行可能な遊技機において、選択演出の趣向性を向上させることにある。
【課題を解決するための手段】
【０００５】
上記課題を解決するためになされた本発明にかかる遊技機は、所定条件の成立を契機として当否判定を行う当否判定手段を備え、当該当否判定手段による当否判定によって当たりに当選することで遊技者に利益が付与される遊技機であって、遊技者に対して提供される演出を実行するにあたり、複数種のモードのいずれかが設定されている場合には、当該設定されているモードに応じた演出を実行する演出実行手段を備え、前記複数種のモードのそれぞれに対応づけられたものとして表示される複数の選択対象から、将来的に設定されるモードに対応する好みの選択対象を選択することを遊技者に促す選択演出が実行可能であり、前記選択演出は、ある選択対象が選択可能な状態となったことを遊技者に示すために当該ある選択対象が他の選択対象に比して強調された強調状態とされるものであり、前記選択演出において表示される前記複数の選択対象の少なくとも一つである特定選択対象には、当該特定選択対象に対応づけられたモードの概要を示す複数種の対応演出が対応づけられており、前記選択演出において前記特定選択対象が前記強調状態とされたとき、それに対応づけられた複数種の対応演出のうちのいずれかが実行されることを特徴とする。
【０００６】
上記本発明によれば、特定選択対象には複数種の対応演出が対応づけられているため、特定選択対象が強調状態とされたときに実行される対応演出は常に同じではない。つまり、選択対象とそれに対応づけられた対応演出の全てが１：１の関係にはなく、特定選択対象が強調状態となったときに実行される対応演出が毎回変化しうる構成であるため、選択演出の趣向性を高めることが可能である。
【発明の効果】
【００１５】
本発明によれば、選択演出を実行可能な遊技機において、選択演出の趣向性を向上させることが可能である。
【図面の簡単な説明】
【００１６】
【図１】本実施形態にかかる遊技機の正面図である。
【図２】選択演出の一例を示した図である。
【図３】各特定選択対象に対応づけられた複数種の対応演出のそれぞれが、強調状態とされたときに実行される蓋然性を示した表（実行する対応演出を決定するための抽選テーブル）である。
【図４】対応演出の種類に関係なく、特定選択対象に対応づけられた固定演出が実行されることを説明するための図である。
【発明を実施するための形態】
【００１７】
以下、本発明にかかる遊技機１の一実施形態について図面を参照して詳細に説明する。まず、図１を参照して遊技機１の全体構成について簡単に説明する。
【００１８】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１９】
遊技領域９０２には、始動入賞口９０４、大入賞口９０６、アウト口９０７などが設けられている。表示装置９１の表示領域９１１は、遊技盤９０に形成された開口９０１を通じて視認可能となる領域である。なお、図２、図４は、表示領域９１１を大まかに記載するが、その形状等は適宜変更可能である（開口９０１の形状や大きさ、表示装置９１自体の形状や大きさを変更することで表示領域９１１の形状等を変更することができる）。
【００２０】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２１】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００２２】
なお、遊技機１の枠体、遊技球を貯留する下皿や上皿など、本発明に関係のない遊技機１の構成要素は説明を省略する。これらについては公知の遊技機と同様の構造のものが適用できる。
【００２３】
大当たりの抽選（当否判定）は、図示されない制御基板に設けられた当否判定手段が始動入賞口９０４への遊技球の入賞を契機として実行する（このような始動入賞口が複数設けられていてもよい）。具体的には、始動入賞口９０４への遊技球の入賞を契機として乱数源から数値が取得され、当該数値が予め定められた大当たりの数値と同じである場合には大当たりとなり、異なる場合にははずれとなる。大当たりに当選した場合には大当たり遊技が実行される。大当たり遊技は、大入賞口９０６が頻繁に開放状態となり、遊技者が多くの遊技球（いわゆる出玉）を獲得することができるものであって、公知の遊技機と同様であるため詳細な説明を省略する。獲得できる遊技球の期待値が異なる複数種の大当たり遊技が設定されていてもよい。
【００２４】
本実施形態では、表示装置９１の表示領域９１１に表示される識別図柄（図示せず）の組み合わせによって当否判定結果を遊技者に報知する。大当たりに当選している場合には識別図柄は最終的に所定の組み合わせで停止する。当該所定の組み合わせとしては、同じ識別図柄の三つ揃いが例示できる。はずれである場合には識別図柄は大当たりとなる組み合わせ以外の組み合わせで停止する。
【００２５】
本実施形態にかかる遊技機１は、遊技者が好みの選択対象（選択肢）を選択することができる選択演出（図２参照）が実行可能である。選択演出が実行される契機や、選択後の帰趨はどのようなものであってもよい。本実施形態では、演出の内容が異なる複数種のモードのうちのいずれかにモードを移行させるに際し、遊技者の好みのモードに移行させるための選択演出を実行する。本実施形態における各モードは、いずれのモードにおいても大当たり当選確率等は同じである（いずれのモードを選択したかは遊技者の直接的な利益に関係するものではない）ものの、当否判定結果を報知するための演出が各モードにおいて異なる態様となる。ただし、選択の結果が、遊技者の直接的な利益に関係するように設定された選択演出に対し、以下で説明するような構成を適用することも可能である。
【００２６】
各モードは、それぞれが違う観念（モチーフ）に基づき設定されたことが遊技者に理解できるように構成される。本実施形態では、実在する（または実在した）アーティストＡ〜ＤをモチーフにしたモードＡ〜Ｄが設定されている。選択演出においては、遊技者は選択対象であるモードＡ〜Ｄのうちから好みのモードを選択する。なお、本実施形態では、常にモードＡ〜Ｄが選択対象として提示される選択演出が実行されるが、選択演出が発生する度に、選択対象が変化したり、選択対象が増減したりすることがある構成としてもよい。なお、本実施形態における「アーティスト」とは、楽曲を歌ったり、演奏したりする実演家という意である。また、歌手（ボーカル）が同じであるが、楽器を演奏するメンバー等のその他のメンバーが異なるといった楽曲を「同じアーティストの楽曲」とみなしてもよい。また、作曲家や作詞家（音楽プロデューサ）が同じ人物である楽曲を「同じアーティストの楽曲」とみなしてもよい。
【００２７】
選択演出では、選択対象であるモードＡ〜Ｄを表す画像（以下、選択対象画像１０と称することもある）が表示される。選択対象画像１０は、選択対象を示す画像（静止画、動画の両方を含む）であればどのようなものであってもよい。図２に示すようにモード（アーティスト）を示す文字を含む画像であってもよいし、モード（アーティスト）を直接的または間接的に示す映像等を含む画像であってもよい。好みのモードに対応する選択対象画像１０にカーソル１１（本実施形態では、選択対象画像１０を囲むように表示される枠画像）が合っている状態で遊技者が決定ボタンを押すことで、当該モードの選択が確定する。カーソル１１を移動させる操作ボタン等が別途設けられた構成としてもよいし、カーソル１１が自動的に（時間の経過とともに）移動していき、好みのモードの位置まで移動したときに決定ボタンを押すことで遊技者に選択させるようにしてもよい。
【００２８】
このように、カーソル１１が合っている状態（図２（ｂ）や（ｃ）に示す状態）は、当該カーソル１１が合っているモードの選択を確定させる一つ手前の状態（以下、選択可能状態と称することもある）であるといえる。つまり、カーソル１１は、カーソル１１が位置している選択対象を他の選択対象よりも強調する（以下、当該状態を強調状態と称することもある）ことで、カーソル１１が位置している選択対象が選択可能状態にあることを示すものであるといえる。
【００２９】
選択可能状態（強調状態）にあることを示す手法はカーソル１１を表示することに限られるものではない。選択可能状態にある選択対象を、他の選択対象に比して強調された（際立たせた）状態とする手法であればよい。選択可能状態にある選択対象を示す選択対象画像１０を他の選択対象画像１０に比して大きくする、画像の枠を太くする、色を異なるものとする（カラーと白黒等）、画像を明瞭にする等、様々な手法が考えられる（このように、ある選択対象を他の選択対象に比して強調された強調状態とするように表示装置９１を制御する手段が本発明における表示制御手段に相当する）。
【００３０】
選択対象であるモードＡ〜Ｄのそれぞれには、対応演出が対応づけられている。当該対応演出は図示されない記憶手段に記憶されている。複数の選択対象のうちのいずれかは、一つの選択対象につき複数の対応演出が対応づけられたものである（以下、複数の対応演出が対応づけられた選択対象を特定選択対象と称する）。本実施形態では、選択対象であるモードＡ〜Ｄの全てが特定選択対象であるが、一部の選択対象が一種の対応演出のみ対応づけられたものとしてもよい。対応演出は、選択対象（本実施形態では各アーティスト）と関連付けられたものとされる。
【００３１】
以下、対応演出について詳細に説明する。対応演出は、ある選択対象が強調状態（選択可能状態）とされたときに実行される演出である。特定選択対象が強調状態とされた場合、それに対応づけられた複数種の対応演出のうちのいずれかが実行されることとなる（複数種の対応演出のうちのいずれかを実行する手段が本発明における演出実行手段に相当する）。本実施形態における対応演出は、音声出力手段であるスピーカ９２（図１参照）から楽曲を出力すること（以下、出力を省略して単に楽曲ということもある）である。対応演出としての楽曲は、選択対象のモチーフとなっているアーティストの楽曲である。つまり、モードＡ〜Ｄのそれぞれの対応演出は、アーティストＡ〜Ｄの楽曲である。特定選択対象である場合、当該アーティストの異なる楽曲が複数種の対応演出のそれぞれとして対応づけられている。本実施形態では、モードＡ（アーティストＡ）の対応演出として楽曲ａ１〜ａ４が、モードＢ（アーティストＢ）の対応演出として楽曲ｂ１〜ｂ４が、モードＣ（アーティストＣ）の対応演出として楽曲ｃ１〜ｃ４が、モードＤ（アーティストＤ）の対応演出として楽曲ｄ１〜ｄ４がそれぞれ対応づけられている。なお、各選択対象（モード）に対応づけられる対応演出（楽曲）の数等は適宜変更可能である。各選択対象（モード）に対応づけられる対応演出（楽曲）の数が全く同じであってもよいし、異なっていてもよい。図２（ｂ）および（ｃ）に示すように、あるモードが強調状態とされたときには、それに対応づけられた複数種の楽曲のうちのいずれかが出力されることになる。
【００３２】
このように、選択演出において、いずれかの特定選択対象が強調状態とされたときには、それに対応づけられた対応演出である複数種の対応演出（楽曲）のうちのいずれかが実行される。なお、本実施形態では、選択演出毎には各特定選択対象が強調状態となったときに実行される対応演出の種類が異なることがあるものの、一の選択演出においては各特定選択対象が強調状態となったときに実行される対応演出は同じである。つまり、ある一の選択演出（一回の選択演出の始まりから終わりまで）において、ある特定選択対象が強調状態となった後、別の選択対象が強調状態とされ、再び当該ある特定選択対象が強調状態となったときは、先のある特定選択対象が強調状態となったときに実行される対応演出と、後のある特定選択対象が強調状態となったときに実行される対応演出は同じである。つまり、選択演出が発生する度に、当該選択対象において、各特定選択対象が強調状態となったときに実行される対応演出が複数種の対応演出のうちから自動的に決定されることになる。ただし、一の選択演出において、ある特定選択対象が強調状態となる度に実行される対応演出が異なることがある（強調状態となる度に自動的に決定される）ようにしてもよい。
【００３３】
複数種の対応演出（楽曲）のうちのいずれを実行するかは、予め定められた抽選テーブルに基づき決定される。本実施形態における各特定選択対象の抽選テーブルは、図３に示す通りである。
【００３４】
選択演出においてモードＡが強調状態となった場合、対応演出として楽曲ａ１〜ｄ４が出力される蓋然性は略同じである。つまり、複数種の対応演出のそれぞれについて、実行される蓋然性が略均等に割り振られた設定である（以下、このように実行される蓋然性が略均等に割り振られた設定を「均等割振り」と称することもある）。このような均等割振りにするのは、アーティストＡの楽曲である楽曲ａ１〜ａ４の楽曲のいずれもがある程度有名である（詳細を後述する有名度合がいずれも高い）、有名さの程度がほとんど同じである（詳細を後述する有名度合がほとんど同じ）等の理由が考えられる。例えば、楽曲ａ１〜ａ４の楽曲のいずれもがある程度有名な曲であれば、いずれの楽曲が出力されても遊技者にとって聴いたことがある曲（聴いたことがある蓋然性が高い曲）が流れる状態となるし、選択演出の度に流れる曲が変化する可能性がある（変化する蓋然性が高い）ことになるから、選択演出の趣向性向上に資する。
【００３５】
なお、各対応演出が実行される蓋然性は、厳密に均等（同じ）に割り振られてなくてもよい。例えば、対応演出として三つの楽曲が設定されたような場合であって、各楽曲が出力される蓋然性が３３％、３３％、３４％に割り振られた設定についても、略均等（略同じ）に割り振られたものとする（以下、略均等（略同じ）というときについても同様）。
【００３６】
選択演出においてモードＢが強調状態となった場合、対応演出として楽曲ｂ１〜ｂ４のうちの一部が出力される蓋然性と他の一部が出力される蓋然性は異なる（以下、このように対応演出の一部と他の一部が実行される蓋然性が異なる設定を「非均等割振り」と称することもある）。具体的には、楽曲ｂ１〜ｂ３のそれぞれが出力される蓋然性は５％で同じであるが、楽曲ｂ４が出力される蓋然性は８５％と他の三つに比べて極めて高い。つまり、ほとんどの選択演出においては、モードＢが強調状態となった場合に対応演出として楽曲ｂ４が出力されることになる。このように一つの楽曲が出力される蓋然性が突出した非均等割振りとするのは、アーティストＢの楽曲である楽曲ｂ１〜ｂ４のうち、楽曲ｂ４が他の楽曲と比べてかなり有名である、楽曲ｂ１〜ｂ３があまり知られていない等の理由が考えられる。つまり、有名度合が最も高い楽曲ｂ４が実行される蓋然性を最も高くすることにより、遊技者にとって聴いたことがある曲（聴いたことがある蓋然性が高い曲）が流れる蓋然性を高くしつつも、場合によっては他の曲（有名度合が低い曲）が流れることもある構成とすることで、アーティストＢに関する選択演出が固定化されてしまうのを抑制する。
【００３７】
上記「有名度合」（有名度合の高低）は、種々の観点から規定することができる。音楽メディア（ＣＤ、ＤＶＤ、楽曲データのダウンロード等）の売上ランキング、カラオケランキング、アンケート調査（対象の楽曲を知っているか否か、対象の楽曲が好きかどうか等、種々のアンケート調査が考えられる。楽曲の種類（曲調等）別、年代別、男女別等、アンケート調査の範囲を絞ってもよい）でのランキング、インターネット検索ランキング等の少なくともいずれかが上位であるものほど有名度合が高いと判断する。複数の要素を総合して判断してもよい。多くの場合、楽曲の有名度合はＣＤ等がどれだけ売上げられたかに比例するものであるから、最も重要視すべきは音楽メディアの売上ランキングである。本実施形態では、アーティストＢの楽曲ｂ１〜ｂ４のうち、最も音楽メディアの売り上げが多いのが楽曲ｂ４であるため、当該楽曲ｂ４が出力される蓋然性を最も高く設定している。
【００３８】
なお、最も有名度合が高いとは、あるアーティストが実際に発表（リリース）している楽曲のうちで最も有名度合が高いという意ではなく、対応演出として設定された複数種の楽曲のうちで最も有名度合が高いという意である。したがって、上記アーティストＢについて言えば、楽曲ｂ４は対応演出として設定された楽曲ｂ１〜ｂ４のうちで最も有名度合が高いといえるが、アーティストＢが発表している楽曲で、楽曲ｂ４よりも有名度合が高いものが実際に存在するか否かは問題としない。
【００３９】
選択演出においてモードＣが強調状態となった場合、対応演出として楽曲ｃ１〜ｃ４のうちの一部が出力される蓋然性と他の一部が出力される蓋然性は異なる。つまり、モードＣも「非均等割振り」であるといえる。そして、アーティストＣの楽曲である楽曲ｃ１〜ｃ４のうち、最も有名度合が高い楽曲ｃ４を、最も出力される蓋然性が高い対応演出としている。
【００４０】
モードＢとモードＣに共通していえることは、最も有名度合が高い楽曲が、５０％以上の確率で出力されるように設定していることである（当該最も有名度合が高い楽曲が、本発明における主対応演出に相当する）。当該設定は、モードのモチーフとして設定されるあるアーティストが突出して有名な楽曲（突出して有名度合が高い楽曲）を一つのみ有し、それ以外の楽曲はあまり有名でない場合に有効である。選択演出の２回に１回の確率で当該一つの「有名な楽曲」が流れるようにすることで、遊技者にとって聴いたことがない曲が頻繁に流れるために演出に対する興味が薄れてしまうこと等を抑制することが可能である。
【００４１】
一方、当該一つの「有名な楽曲」以外の楽曲（それ以外の楽曲。本発明における副対応演出に相当する）は、全てが５０％未満の確率で出力されることになる。モードＢのようにそれ以外の楽曲（楽曲ｂ１〜ｂ３）のそれぞれが出力される蓋然性を略均等にしてもよいし、モードＣのようにそれ以外の楽曲（楽曲ｃ１〜ｃ３）の一部と他の一部が実行される蓋然性を異なるものとしてもよい。モードＣのように設定する場合には、それ以外の楽曲についても有名度合が高いものであればあるほど、実行される蓋然性が高くなるように設定してもよい。つまり、楽曲ｃ１〜ｃ３の三曲についてみれば、楽曲ｃ３が最も有名度合が高く、楽曲ｃ１が最も有名度合が低いものであるということである。
【００４２】
選択演出においてモードＤが強調状態となった場合、対応演出として楽曲ｄ１〜ｄ４のうちの一部が出力される蓋然性と他の一部が出力される蓋然性は異なる。つまり、モードＤも「非均等割振り」であるといえる。そして、アーティストＤの楽曲である楽曲ｃ１〜ｃ４のうち、有名度合が比較的高い楽曲ｄ３、ｄ４が出力される蓋然性を同じにしつつ、他の楽曲であるｄ１、ｄ２よりも出力される蓋然性を高くしている。
【００４３】
このように、「有名な楽曲」（有名度合が高い楽曲）が複数存在するアーティストをモチーフにする場合には、他の楽曲に比して出力される蓋然性が高い楽曲を複数としてもよい。ただし、この場合は、「有名な楽曲」の一つが出力される蓋然性を５０％以上とすることはできないから、複数の「有名な楽曲」のうちのいずれかが出力される蓋然性（有名な楽曲が出力されるトータルの蓋然性）が５０％以上となるようにするとよい。モードＤに沿っていえば、複数の「有名な楽曲」のうちのいずれかが出力される蓋然性は４５％（楽曲ｄ３）＋４５％（楽曲ｄ４）＝９０％であり、５０％以上であるということになる。
【００４４】
また、この場合、複数の「有名な楽曲」のそれぞれが実行される蓋然性は、モードＤのように同じであってもよいし、異なっていてもよい。異なる設定とする場合には、有名度合が高いものほど、実行される蓋然性が高くなるように設定するとよい。
【００４５】
モードＤの割振りは、有名度合に基づき複数種の楽曲（対応演出）を段階的に（モードＤの場合は二段階であるが三段階以上であってもよい）分け、それぞれの段階について実行される蓋然性を略同じにしたものであるともいえる。つまり、楽曲ｄ１とｄ２を含む段階と、楽曲ｄ３とｄ４を含む段階とに分け、それぞれの段階に含まれる楽曲について、実行される蓋然性を略均等に割り振った構成であるといえる。なお、モードＢの割振りもこのような割振りの一種であるといえる。このように、有名度合に基づき複数の楽曲をおおまかに段階毎に分け、それぞれの段階に含まれる一または複数種の楽曲のそれぞれが実行される蓋然性を略同じにするとともに、段階毎の当該蓋然性を異ならせる（有名度合が高い段階ほど高くなる）設定としてもよい。
【００４６】
以上説明したように、本実施形態にかかる遊技機１によれば、選択演出の選択肢として示されることがある特定選択対象には複数種の対応演出が対応づけられているため、特定選択対象が強調状態とされたときに実行される対応演出は常に同じではない。つまり、選択対象とそれに対応づけられた対応演出の全てが１：１の関係にはなく、特定選択対象が強調状態となったときに実行される対応演出が毎回変化しうる構成であるため、選択演出の趣向性を高めることが可能である。
【００４７】
また、ある特定選択対象（本実施形態ではモードＡ）に対応づけられた複数種の対応演出（本実施形態では楽曲ａ１〜ａ４）のそれぞれが、強調状態となったときに実行される蓋然性が等しくなるように設定されているため、当該特定選択対象については実行される対応演出が変化しやすいものとなり、選択演出毎に発生しうる対応演出の変化を楽しませる構成を構築することが可能である。
【００４８】
また、ある特定選択対象（本実施形態ではモードＢ〜Ｄ）に対応づけられた複数種の対応演出（本実施形態では楽曲ｂ１〜ｂ４、ｃ１〜ｃ４またはｄ１〜ｄ４）のそれぞれが、強調状態となったときに実行される蓋然性が異なるように設定されているため、対応演出が変化する可能性を残しつつ、特定の対応演出を優先的に実行させる構成を構築することが可能である。
【００４９】
そして、ある特定選択対象（本実施形態ではモードＢ、モードＣ）については、複数種の対応演出（本実施形態では楽曲ｂ１〜ｂ４、ｃ１〜ｃ４）のうち、ある特定の対応演出（本実施形態では、突出して有名な一つの楽曲ｂ４、ｃ４）を他の対応演出に比して優先させて実行させること（１／２以上の確率で発生するようにすること）で、対応演出に対する遊技者の興味が薄れてしまうのを抑制すること可能である。
【００５０】
以下、上記実施形態にかかる遊技機１の選択演出をさらに発展させた例について、図４を参照しつつ説明する。上記実施形態では、選択対象の少なくとも一部である特定選択対象に対応づけられた複数種の対応演出が設定されていることを説明したが、本例は、当該対応演出とともに、各選択対象に対応づけられた一種の固定演出が設定されているものである。つまり、特定選択対象に関していえば、対応演出は複数種対応づけられているものの、固定演出は一種のみ対応づけられているということである。
【００５１】
固定演出の具体的な内容はどのようなものであってもよい。本例では、選択演出において選択肢を示すものとして表示されるＡ〜Ｄの選択対象画像１０（静止画、動画を問わない）の内容が固定演出として設定されている。本実施形態では、アーティストＡ〜Ｄのそれぞれを示すような画像（写真、映像等）が表示される。つまり、各モードについての当該画像が常に同じということである。したがって、特定選択対象であるモードＡ〜Ｄのいずれかが強調状態とされたとき、それに対応づけられている楽曲の種類は選択演出の度に変化する可能性があるものの、それに対応づけられている画像の内容は選択演出の度に変化することはなく同じである。つまり、実行される対応演出の種類に関係なく、強調状態とされた特定選択対象に対応づけられた一種の固定演出が実行される。図４に則していえば、ある選択演出において強調状態とされたモードＣの対応演出として楽曲ｃ４が出力されたとする（図４（ａ）参照）。そして、別の選択演出においてモードＣが再度強調状態とされたときに、その対応演出として楽曲ｃ２が出力されることとなったとしても、固定演出であるモードＣを示す選択対象画像１０は先の選択演出において表示された選択対象画像１０と同じである（図４（ｂ）参照）。
【００５２】
特定選択対象は、複数種の対応演出が対応づけられているものであるため、実行される対応演出が変化した場合、選択肢の種類が変化したのではないかと捉えられるおそれがある。このように、実行する対応演出の種類に関係なく、固定演出が実行されるようにすれば、遊技者は当該固定演出によって（固定演出が変化していないという事象によって）選択肢の種類自体は変化していないということ把握することが可能である。
【００５３】
特に、本例は、対応演出である「楽曲」は変化することはあるものの、固定演出である選択対象「画像」は変化することがない構成である。つまり、対応演出は遊技者の聴覚に訴える演出である一方、固定演出は遊技者の視覚に訴える演出である。そして、選択演出においていずれかを選択しようとする遊技者は必ず選択対象画像１０を見るはずである（表示装置９１の表示領域９１１に選択肢を示す選択演出という特性上、聴覚に訴える楽曲よりも視覚に訴える画像の方が遊技者の興味や注意を惹くものである）から、遊技者が誤って所望の選択肢以外の選択肢を選択してしまうといった状況の発生を抑制することが可能である。
【００５４】
なお、本例は、各特定選択対象に対応する選択対象画像１０を固定せずに、出力される楽曲（対応演出）に合わせた画像とすること（例えば、出力される楽曲のプロモーションビデオを選択対象画像１０とする構成）を否定するものではない。つまり、選択対象画像１０と楽曲をひとまとまりにしたもの（セットにしたもの）を、各特定選択対象に対応づけられた複数種の対応演出として設定した構成としてもよい。また、複数種の対応演出として画像（静止画、動画を問わない）を、一種の固定演出として楽曲を設定した構成としてもよい。
【００５５】
以上、本発明の実施の形態について詳細に説明したが、本発明は上記実施の形態に何ら限定されるものではなく、本発明の要旨を逸脱しない範囲で種々の改変が可能である。
【００５６】
上記実施形態およびそれを発展させた例にかかる遊技機１はいわゆるぱちんこ遊技機であるが、スロットマシン等、他の遊技機に対しても同様の技術思想が適用可能である。
【００５７】
上記実施形態およびそれを発展させた例では、選択対象のモチーフとしてアーティストが、対応演出として（各アーティストの）楽曲が、固定演出として（各アーティストの）画像が設定されていることを説明したが、これらはあくまで一例である。各選択対象をそのまま表したり、文字等で説明したり、暗示したりするものを、対応演出や固定演出として設定するものであればよい。
上記実施形態から得られる具体的手段（遊技機）を以下に列挙する。
手段１にかかる遊技機は、複数の選択対象から選択することを遊技者に促す選択演出において、ある選択対象を他の選択対象に比して強調された強調状態とする表示制御手段と、前記複数の選択対象のそれぞれに対応づけられた対応演出を記憶する記憶手段と、前記複数の選択対象のうちの少なくともいずれかとして、複数種の前記対応演出が対応づけられた特定選択対象が設定されており、当該特定選択対象が前記強調状態とされたとき、それに対応づけられた複数種の対応演出のうちのいずれかを実行する演出実行手段と、を備えることを特徴とする。
手段１にかかる遊技機によれば、特定選択対象には複数種の対応演出が対応づけられているため、特定選択対象が強調状態とされたときに実行される対応演出は常に同じではない。つまり、選択対象とそれに対応づけられた対応演出の全てが１：１の関係にはなく、特定選択対象が強調状態となったときに実行される対応演出が毎回変化しうる構成であるため、選択演出の趣向性を高めることが可能である。
手段２にかかる遊技機は、手段１に記載の遊技機において、前記特定選択対象の少なくとも一つは、対応づけられた複数種の対応演出のそれぞれが、前記強調状態となったときに前記演出実行手段によって実行される蓋然性が略等しくなるように設定されていることを特徴とする。
手段２にかかる遊技機のように、ある特定選択対象に対応づけられた複数種の対応演出のそれぞれが、強調状態となったときに実行される蓋然性が等しくなるように設定されていれば、実行される対応演出が変化しやすいものとなるため、選択演出毎に発生しうる対応演出の変化を楽しませる構成を構築することが可能である。
手段３にかかる遊技機は、手段１に記載の遊技機において、前記特定選択対象の少なくとも一つは、対応づけられた複数種の対応演出のうちの一部と他の一部が、前記強調状態となったときに前記演出実行手段によって実行される蓋然性が異なるように設定されていることを特徴とする。
手段３にかかる遊技機のように、ある特定選択対象に対応づけられた複数種の対応演出のそれぞれが、強調状態となったときに実行される蓋然性が異なるように設定されていれば、対応演出が変化する可能性を残しつつ、特定の対応演出を優先的に実行させる構成を構築することが可能である。
手段４にかかる遊技機は、手段３に記載の遊技機において、前記第二特定選択対象に対応づけられた複数種の対応演出は、前記強調状態となったときに前記演出実行手段によって実行される蓋然性が５０％を超える主対応演出と、当該主対応演出以外の副対応演出と、を含むことを特徴とする。
手段４にかかる遊技機のような構成とすれば、複数種の対応演出のうち、ある特定の対応演出を他の対応演出に比して優先させて実行させること（１／２以上の確率で発生するようにすること）で、対応演出に対する遊技者の興味が薄れてしまうのを抑制すること可能である。
手段５にかかる遊技機は、手段１から手段４のいずれかに記載の遊技機において、前記複数の選択対象のそれぞれに一種の固定演出が対応づけられており、前記演出実行手段は、前記特定選択対象が前記強調状態とされたとき、それに対応づけられた前記複数種の対応演出のうちのいずれかを実行するとともに、実行する対応演出の種類に関係なく、当該強調状態とされた特定選択対象に対応づけられた前記一種の固定演出を実行することを特徴とする。
実行される対応演出が変化した場合、選択肢の種類が変化したのではないかと捉えられるおそれがある。手段５にかかる遊技機のように、実行する対応演出の種類に関係なく、固定演出が実行されるようにすれば、遊技者は当該固定演出によって（固定演出が変化していないという事象によって）選択肢の種類自体は変化していないということ把握することが可能である。
【００５８】
上記実施形態から得られる別の発明にかかる遊技機としては、以下のようなものが例示できる。
・別の発明１
複数の選択対象から選択することを遊技者に促す選択演出において、ある選択対象を他の選択対象に比して強調された強調状態とする表示制御手段と、
前記複数の選択対象のそれぞれに対応づけられた対応演出を記憶する記憶手段と、
前記複数の選択対象のうちの少なくともいずれかとして、複数種の前記対応演出が対応づけられた特定選択対象が設定されており、当該特定選択対象が前記強調状態とされたとき、それに対応づけられた複数種の対応演出のうちのいずれかを実行する演出実行手段と、
を備え、
前記特定選択対象の少なくとも一つは、対応づけられた複数種の対応演出のうちの一部と他の一部が、前記強調状態となったときに前記演出実行手段によって実行される蓋然性が異なるように設定され、そのうち前記選択演出において実行される蓋然性が最も高く設定された対応演出は、演出として出力される対象の楽曲の有名度合が最も高いものであることを特徴とする遊技機。
【００５９】
・別の発明２
複数の選択対象から選択することを遊技者に促す選択演出において、ある選択対象を他の選択対象に比して強調された強調状態とする表示制御手段と、
前記複数の選択対象のそれぞれに対応づけられた対応演出を記憶する記憶手段と、
前記複数の選択対象のうちの少なくともいずれかとして、複数種の前記対応演出が対応づけられた特定選択対象が設定されており、当該特定選択対象が前記強調状態とされたとき、それに対応づけられた複数種の対応演出のうちのいずれかを実行する演出実行手段と、
を備え、
前記特定選択対象の少なくとも一つは、対応づけられた複数種の対応演出のうちの一部と他の一部が、前記強調状態となったときに前記演出実行手段によって実行される蓋然性が異なるように設定され、そのうち前記選択演出において実行される蓋然性が最も高く設定された対応演出は、演出として出力される対象の楽曲の音楽メディアの売上ランキング、対象の楽曲のカラオケランキング、対象の楽曲のアンケート調査でのランキング、対象の楽曲についてのインターネット検索ランキングのうちの少なくともいずれかが最も高いものであることを特徴とする遊技機。
【００６０】
・別の発明３
複数の選択対象から選択することを遊技者に促す選択演出において、ある選択対象を他の選択対象に比して強調された強調状態とする表示制御手段と、
前記複数の選択対象のそれぞれに対応づけられた対応演出を記憶する記憶手段と、
前記複数の選択対象のうちの少なくともいずれかとして、複数種の前記対応演出が対応づけられた特定選択対象が設定されており、当該特定選択対象が前記強調状態とされたとき、それに対応づけられた複数種の対応演出のうちのいずれかを実行する演出実行手段と、
を備え、
前記特定選択対象の少なくとも一つは、対応づけられた複数種の対応演出のうちの一部と他の一部が、前記強調状態となったときに前記演出実行手段によって実行される蓋然性が異なるように設定され、そのうち前記選択演出において実行される蓋然性が最も高く設定された対応演出は、演出として出力される対象の楽曲の音楽メディアの売上ランキング、対象の楽曲のカラオケランキング、対象の楽曲のアンケート調査でのランキング、対象の楽曲についてのインターネット検索ランキングのうちの二以上のランキングを総合して判断した上で、良い結果となったものであることを特徴とする遊技機。
このように二以上のランキングを総合的に判断した場合、例えば、あるランキングで一位、別のランキングで四位となった楽曲Ｘ１と、あるランキングで二位、別のランキングで二位となった楽曲Ｘ２との比較でいえば、楽曲Ｘ２の方が良い結果であるということができる。
【符号の説明】
【００６１】
１  遊技機
１０  選択対象画像
９１  表示装置
９１１  表示領域
９２  スピーカ
【図１】
0006403120.tif 000002
【図２】
0006403120.tif 000003
【図３】
0006403120.tif 000004
【図４】
0006403120.tif 000005